【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
放射線画像を記録する放射線画像検出器から読み出された前記放射線画像を表わす放射線画像データに対し、オフセットまたは感度を補正する補正データを用いてオフセットまたは感度の補正を行なうとともに、前記補正データの更新を行なう放射線画像データ補正方法において、
前記放射線画像検出器から読み出された補正用画像データに基づいて、前記補正データとして低周波成分用補正データと高周波成分用補正データとを生成し、
前記低周波成分用補正データと前記高周波成分用補正データとについてそれぞれ更新することを特徴とする放射線画像データ補正方法。
【請求項２】
前記高周波成分用補正データを更新する時間間隔が前記低周波成分用補正データを更新する時間間隔よりも長いことを特徴とする請求項１または２記載の放射線画像データ補正方法。
【請求項３】
前記高周波成分用補正データを生成するために用いる前記補正用画像データの数よりも前記低周波成分用補正データを生成するために用いる前記補正用画像データの数の方が少ないことを特徴とする請求項１または２記載のオフセット補正方法。
【請求項４】
取得モード毎に前記補正用画像データを取得し、
該取得した各補正用画像データに基づいて、前記取得モード毎の前記低周波成分用補正データと前記高周波成分用補正データとを生成して更新することを特徴とする請求項１から３いずれか１項記載のオフセット補正方法。
【請求項５】
前記低周波成分用補正データを複数回更新するために用いられた複数の前記補正用画像データに基づいて前記高周波成分用補正データを生成することを特徴とする請求項１から４いずれか１項記載のオフセット補正方法。
【請求項６】
放射線画像を記録する放射線画像検出器から読み出された前記放射線画像を表わす放射線画像データに対し、オフセットを補正するオフセット補正データと感度を補正する感度補正データとを用いてオフセットおよび感度の補正を行なうとともに、前記オフセット補正データおよび前記感度補正データの更新を行なう放射線画像データ補正方法において、
前記放射線画像検出器から読み出されたオフセット補正用画像データに基づいて、前記オフセット補正データとして低周波成分用オフセット補正データと高周波成分用オフセット補正データとを生成するとともに、前記放射線画像検出器から読み出された感度補正用画像データに基づいて、前記感度補正データとして低周波成分用感度補正データと高周波成分用感度補正データとを生成し、
前記低周波成分用オフセット補正データおよび前記高周波成分用オフセット補正データをそれぞれ更新するとともに、前記低周波成分用感度補正データおよび前記高周波成分用感度補正データをそれぞれ更新し、
前記低周波成分用オフセット補正データの更新の時間間隔を前記低周波成分用感度補正データの更新の時間間隔よりも短くするとともに、前記高周波成分用オフセット補正データの更新の時間間隔を前記高周波成分用感度補正データの更新の時間間隔よりも短くすることを特徴とする放射線画像データ補正方法。
【請求項７】
放射線画像を記録する放射線画像検出器から読み出された前記放射線画像を表わす放射線画像データに対してオフセットまたは感度を補正する補正データを用いてオフセットまたは感度の補正を行なう補正部と、前記補正データの更新を行なう補正データ更新部とを備えた放射線画像データ補正装置において、
前記補正データ更新部が、前記放射線画像検出器から読み出された補正用画像データに基づいて、前記補正データとして低周波成分用補正データと高周波成分用補正データとを生成し、前記低周波成分用補正データと前記高周波成分用補正データとについてそれぞれ更新するものであることを特徴とする放射線画像データ補正装置。
【請求項８】
前記補正データ更新部が、前記高周波成分用補正データの更新を前記低周波成分用補正データの更新の時間間隔よりも長い時間間隔で行うものであることを特徴とする請求項７記載の放射線画像データ補正装置。
【請求項９】
前記補正データ更新部が、前記高周波成分用補正データを生成するために用いる前記補正用画像データの数よりも少ない数の前記補正用画像データを用いて前記低周波成分用補正データを生成するものであることを特徴とする請求項７または８記載の放射線画像データ補正装置。
【請求項１０】
前記補正データ更新部が、取得モード毎の前記補正用画像データを取得し、該取得した各補正用画像データに基づいて、前記取得モード毎の前記低周波成分用補正データと前記高周波成分用補正データとを生成して更新するものであることを特徴とする請求項７から９いずれか１項記載の放射線画像データ補正装置。
【請求項１１】
前記補正データ更新部が、前記低周波成分用補正データを複数回更新するために用いられた複数の前記補正用画像データに基づいて前記高周波成分用補正データを生成するものであることを特徴とする請求項７から１０いずれか１項記載の放射線画像データ補正装置。
【請求項１２】
放射線画像を記録する放射線画像検出器から読み出された前放射線画像を表わす放射線画像データに対し、オフセットを補正するオフセット補正データと感度を補正する感度補正データとを用いてオフセットおよび感度の補正を行なう補正部と、前記オフセット補正データおよび前記感度補正データの更新を行なう補正データ更新部とを備えた放射線画像データ補正装置において、
前記補正データ更新部が、前記放射線画像検出器から読み出されたオフセット補正用画像データに基づいて、前記オフセット補正データとして低周波成分用オフセット補正データと高周波成分用オフセット補正データとを生成するとともに、前記放射線画像検出器から読み出された感度補正用画像データに基づいて、前記感度補正データとして低周波成分用感度補正データと高周波成分用感度補正データとを生成し、
前記低周波成分用オフセット補正データおよび前記高周波成分用オフセット補正データをそれぞれ更新するとともに、前記低周波成分用感度補正データおよび前記高周波成分用感度補正データをそれぞれ更新し、前記低周波成分用オフセット補正データの更新の時間間隔を前記低周波成分用感度補正データの更新の時間間隔よりも短くするとともに、前記高周波成分用オフセット補正データの更新の時間間隔を前記高周波成分用感度補正データの更新の時間間隔よりも短くするものであることを特徴とする放射線画像データ補正装置。
【請求項１３】
放射線を被写体に向かって射出する放射線源および該放射線源から射出された放射線の前記被写体上での照射野を絞る照射野絞りを有する放射線照射部と、前記放射線照射部により照射され前記被写体を透過した放射線を検出し、前記被写体の放射線画像を記録する放射線画像検出器と、該放射線画像検出器により記録された放射線画像を表わす放射線画像データを取得する放射線画像データ取得部と、該放射線画像データ取得部により取得された放射線画像データに対してオフセットまたは感度を補正する補正データを用いてオフセットまたは感度の補正を行なう補正部と、前記補正データの更新を行なう補正データ更新部とを備えた放射線画像撮影装置において、
前記補正データ更新部が、前記放射線画像検出器から読み出された補正用画像データに基づいて、前記補正データとして低周波成分用補正データと高周波成分用補正データとを生成し、前記低周波成分用補正データと前記高周波成分用補正データとについてそれぞれ更新するものであることを特徴とする放射線画像撮影装置。
【請求項１４】
前記補正データ更新部が、前記高周波成分用補正データの更新を前記低周波成分用補正データの更新の時間間隔よりも長い時間間隔で行うものであることを特徴とする請求項１３記載の放射線画像撮影装置。
【請求項１５】
前記補正データ更新部が、前記高周波成分用補正データを生成するために用いる前記補正用画像データの数よりも少ない数の前記補正用画像データを用いて前記低周波成分用補正データを生成するものであることを特徴とする請求項１３または１４記載の放射線画像撮影装置。
【請求項１６】
前記補正データ更新部が、取得モード毎の前記補正用画像データを取得し、該取得した各補正用画像データに基づいて、前記取得モード毎の前記低周波成分用補正データと前記高周波成分用補正データとを生成して更新するものであることを特徴とする請求項１３から１５いずれか１項記載の放射線画像撮影装置。
【請求項１７】
前記補正データ更新部が、前記低周波成分用補正データを複数回更新するために用いられた複数の前記補正用画像データに基づいて前記高周波成分用補正データを生成するものであることを特徴とする請求項１３から１６いずれか１項記載の放射線画像撮影装置。
【請求項１８】
放射線を被写体に向かって射出する放射線源および該放射線源から射出された放射線の前記被写体上での照射野を絞る照射野絞りを有する放射線照射部と、前記放射線照射部により照射され前記被写体を透過した放射線を検出し、前記被写体の放射線画像を記録する放射線画像検出器と、該放射線画像検出器により記録された放射線画像を表わす放射線画像データを取得する放射線画像データ取得部と、該放射線画像データ取得部により取得された放射線画像データに対してオフセットを補正するオフセット補正データと感度を補正する感度補正データとを用いてオフセットおよび感度の補正を行なう補正部と、前記オフセット補正データおよび前記感度補正データの更新を行なう補正データ更新部とを備えた放射線画像撮影装置において、
前記補正データ更新部が、前記放射線画像検出器から読み出されたオフセット補正用画像データに基づいて、前記オフセット補正データとして低周波成分用オフセット補正データと高周波成分用オフセット補正データとを生成するとともに、前記放射線画像検出器から読み出された感度補正用画像データに基づいて、前記感度補正データとして低周波成分用感度補正データと高周波成分用感度補正データとを生成し、
前記低周波成分用オフセット補正データおよび前記高周波成分用オフセット補正データをそれぞれ更新するとともに、前記低周波成分用感度補正データおよび前記高周波成分用感度補正データをそれぞれ更新し、前記低周波成分用オフセット補正データの更新の時間間隔を前記低周波成分用感度補正データの更新の時間間隔よりも短くするとともに、前記高周波成分用オフセット補正データの更新の時間間隔を前記高周波成分用感度補正データの更新の時間間隔よりも短くするものであることを特徴とする放射線画像撮影装置。
【手続補正２】
【補正対象書類名】明細書
【補正対象項目名】００２０
【補正方法】変更
【補正の内容】
【００２０】
本発明の第２の放射線画像データ補正方法は、放射線画像を記録する放射線画像検出器から読み出された放射線画像を表わす放射線画像データに対し、オフセットを補正するオフセット補正データと感度を補正する感度補正データとを用いてオフセットおよび感度の補正を行なうとともに、オフセット補正データおよび感度補正データの更新を行なう放射線画像データ補正方法において、放射線画像検出器から読み出されたオフセット補正用画像データに基づいて、オフセット補正データとして低周波成分用オフセット補正データと高周波成分用オフセット補正データとを生成するとともに、放射線画像検出器から読み出された感度補正用画像データに基づいて、感度補正データとして低周波成分用感度補正データと高周波成分用感度補正データとを生成し、低周波成分用オフセット補正データおよび高周波成分用オフセット補正データをそれぞれ更新するとともに、低周波成分用感度補正データおよび高周波成分用感度補正データをそれぞれ更新し、低周波成分用オフセット補正データの更新の時間間隔を低周波成分用感度補正データの更新の時間間隔よりも短くするとともに、高周波成分用オフセット補正データの更新の時間間隔を高周波成分用感度補正データの更新の時間間隔よりも短くすることを特徴とする。
【手続補正３】
【補正対象書類名】明細書
【補正対象項目名】００２６
【補正方法】変更
【補正の内容】
【００２６】
本発明の第２の放射線画像データ補正装置は、放射線画像を記録する放射線画像検出器から読み出された前放射線画像を表わす放射線画像データに対し、オフセットを補正するオフセット補正データと感度を補正する感度補正データとを用いてオフセットおよび感度の補正を行なう補正部と、オフセット補正データおよび感度補正データの更新を行なう補正データ更新部とを備えた放射線画像データ補正装置において、補正データ更新部が、放射線画像検出器から読み出されたオフセット補正用画像データに基づいて、オフセット補正データとして低周波成分用オフセット補正データと高周波成分用オフセット補正データとを生成するとともに、放射線画像検出器から読み出された感度補正用画像データに基づいて、感度補正データとして低周波成分用感度補正データと高周波成分用感度補正データとを生成し、低周波成分用オフセット補正データおよび高周波成分用オフセット補正データをそれぞれ更新するとともに、低周波成分用感度補正データおよび高周波成分用感度補正データをそれぞれ更新し、低周波成分用オフセット補正データの更新の時間間隔を低周波成分用感度補正データの更新の時間間隔よりも短くするとともに、高周波成分用オフセット補正データの更新の時間間隔を高周波成分用感度補正データの更新の時間間隔よりも短くするものであることを特徴とする。
【手続補正４】
【補正対象書類名】明細書
【補正対象項目名】００３２
【補正方法】変更
【補正の内容】
【００３２】
本発明の第２の放射線画像撮影装置は、放射線を被写体に向かって射出する放射線源および該放射線源から射出された放射線の被写体上での照射野を絞る照射野絞りを有する放射線照射部と、放射線照射部により照射され被写体を透過した放射線を検出し、被写体の放射線画像を記録する放射線画像検出器と、該放射線画像検出器により記録された放射線画像を表わす放射線画像データを取得する放射線画像データ取得部と、該放射線画像データ取得部により取得された放射線画像データに対してオフセットを補正するオフセット補正データと感度を補正する感度補正データとを用いてオフセットおよび感度の補正を行なう補正部と、オフセット補正データおよび感度補正データの更新を行なう補正データ更新部とを備えた放射線画像撮影装置において、補正データ更新部が、放射線画像検出器から読み出されたオフセット補正用画像データに基づいて、オフセット補正データとして低周波成分用オフセット補正データと高周波成分用オフセット補正データとを生成するとともに、放射線画像検出器から読み出された感度補正用画像データに基づいて、感度補正データとして低周波成分用感度補正データと高周波成分用感度補正データとを生成し、低周波成分用オフセット補正データおよび高周波成分用オフセット補正データをそれぞれ更新するとともに、低周波成分用感度補正データおよび高周波成分用感度補正データをそれぞれ更新し、低周波成分用オフセット補正データの更新の時間間隔を低周波成分用感度補正データの更新の時間間隔よりも短くするとともに、高周波成分用オフセット補正データの更新の時間間隔を高周波成分用感度補正データの更新の時間間隔よりも短くするものであることを特徴とする。